【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
底台上に設置される外箱と、前記外箱内に設けられる水槽と、前記水槽内に回転可能に配されるドラムと、を備えたドラム式洗濯機において、前記底台の前方に人の手を掛けることのできる凹部を設けたことを特徴とするドラム式洗濯機。
【請求項２】
前記凹部を下面から上方に向けて凹ませたことを特徴とする請求項１に記載のドラム式洗濯機。
【請求項３】
前記凹部を前記底台下端面よりも上方に配される面に設けたことを特徴とする請求項１または２に記載のドラム式洗濯機。
【請求項４】
前記外箱には背面上部に把手部が設けられ、前記水槽は前面側に開口、背面側に駆動機構を有することを特徴とする請求項１から３のいずれか１項に記載のドラム式洗濯機。
【請求項５】
前記凹部を前記底台に一体に設けたことを特徴とする請求項１から４のいずれか１項に記載のドラム式洗濯機。
【手続補正２】
【補正対象書類名】明細書
【補正対象項目名】発明の名称
【補正方法】変更
【補正の内容】
【発明の名称】ドラム式洗濯機
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
上記従来のドラム式洗濯機によると、例えばドラム式洗濯機の後方や下方の掃除をする際にドラム式洗濯機を移動させるには持ち上げて運ぶ必要があり、重量が大きいため簡単に移動させることができない問題があった。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
本発明は、上記課題を解決するためなされたものであり、簡単に移動させることのできるドラム式洗濯機を提供することを目的とする。
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】変更
【補正の内容】
【００３７】
本発明は、底台上に設置される外箱と、前記外箱内に設けられる水槽と、前記水槽内に回転可能に配されるドラムと、を備えたドラム式洗濯機において、前記底台の前方に人の手を掛けることのできる凹部を設けたことを特徴としている。この構成によると、例えばドラム式洗濯機を前方に引き出す際に、凹部に手を掛けることにより容易に引き出すことができる。
【手続補正２３】
【補正対象書類名】明細書
【補正対象項目名】００３８
【補正方法】変更
【補正の内容】
【００３８】
また本発明は、上記構成のドラム式洗濯機において、前記凹部を下面から上方に向けて凹ませたことを特徴としている。
【手続補正２４】
【補正対象書類名】明細書
【補正対象項目名】００３９
【補正方法】変更
【補正の内容】
【００３９】
また本発明は、上記構成のドラム式洗濯機において、前記凹部を前記底台下端面よりも上方に配される面に設けたことを特徴としている。
【手続補正２５】
【補正対象書類名】明細書
【補正対象項目名】００４０
【補正方法】変更
【補正の内容】
【００４０】
また本発明は、上記構成のドラム式洗濯機において、前記外箱には背面上部に把手部が設けられ、前記水槽は前面側に開口、背面側に駆動機構を有することを特徴としている。
【手続補正２６】
【補正対象書類名】明細書
【補正対象項目名】００４１
【補正方法】変更
【補正の内容】
【００４１】
また本発明は、上記構成のドラム式洗濯機において、前記凹部を前記底台に一体に設けたことを特徴としている。
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】変更
【補正の内容】
【００４６】
本発明によると、底台の前方に凹部を形成しているので凹部に手を掛けて簡単にドラム式洗濯機を手前に引き出すことが可能となる。これにより、ドラム式洗濯機の後方や下部の掃除等を容易に行うことができる。
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】変更
【補正の内容】
【００５０】
以下に本発明の実施形態を図面を参照して説明する。説明の便宜上、従来例の図２４〜図２８と同一の部分については同一の符号を付している。図１は実施形態のドラム式洗濯機を示す外観斜視図である。また、図２（ａ）、（ｂ）はその正面図及び側面図である。
【手続補正３６】
【補正対象書類名】明細書
【補正対象項目名】０１０４
【補正方法】変更
【補正の内容】
【０１０４】
また、本実施形態のドラム式洗濯機は、図２２に示すように、底台３５上に外箱１が取り付けられ、その上に天板３６が取り付けられる。底台３５には開口部３５ａが設けられ、図２３に示すように、開口部３５ａを介して下面から支持具８１を配することにより、水槽４を支持することができる。そして、外箱１の下面は、開口されているため、支持具８１により底台３５上に水槽４を配置した後、水槽４を外箱１により覆って組立てが行われる。